(57)【要約】本発明のプラントは、切り替え手段（３２、３４、３６）を備え、管（１４）により圧縮流体のためのレザーバに接続された３つのコンプレッサー（４、６、８）、フィルター（１６）、管（２０）とバルブ（２２）によりシステムに接続される出力（１８）、電源（２４）、３つの接続ライン（２６、２８、３０）、流体圧力センサー（５４）、中央ユニット（ＣＰＵ）とメモリーユニット（ＭＥＭ）とプラント制御プログラム（ＰＲＧ）とライン（５８）により圧力センサー（５４）に接続される入力（５６）とからなる自動化デバイス（ＣＭＤ）、電話線（８０）に接続される検出手段、第１（６６）、第２（６８）および第３（６４）制御ラインに接続される３つの出力（６０、６２、６４）を備える。このプラントは、圧縮空気を製造するために用いることができる。
2006513360.tif 000002
【特許請求の範囲】
【請求項１】
圧縮流体を製造するためのプラントであって、
配送側が圧縮流体ネットワークに接続されているｎ個のコンプレッサー（ｎは１以上である）、
前記コンプレッサーのそれぞれのための、該コンプレッサーを電源に接続する接続ライン、
前記コンプレッサーのそれぞれのための、前記コンプレッサーのそれぞれの状態の変化を生起させるように設計された少なくとも１つの切り替え手段、
前記圧縮流体のネットワーク中の流体の圧力を測定するように設計された少なくとも１つの圧力センサー、および
前記切り替え手段の一方または他方を制御するように設計された少なくとも１つの制御手段
を備え、
前記少なくとも１つの制御手段が、前記切り替え手段のそれぞれを作動させるための１以上の個別の作動手段に接続され、
前記少なくとも１つの制御手段が、前記ネットワーク中の前記圧縮流体の圧力に応じてあらかじめ決定された選択プロトコールに従って始動されるか、アイドリングに切り替えられるか、圧縮に切り替えられるか、または停止さられるかのいずれかである１以上のコンプレッサーを選択できる１以上の選択手段を含む
ことを特徴とするプラント。
【請求項２】
用いられる前記コンプレッサーが、好ましくは、「オール・オア・ナッシング」タイプのものである請求項１記載のプラント。
【請求項３】
前記コンプレッサーが同じものである請求項１または２記載のプラント。
【請求項４】
前記圧縮流体が圧縮空気である請求項１ないし３のいずれか１項記載のプラント。
【請求項５】
２〜６のコンプレッサーを備える請求項１ないし４のいずれか１項記載のプラント。
【請求項６】
時間経過とともに定常的または断続的にそれぞれのコンプレッサーの状態のそれぞれの変化を日付入れしおよび測定することが可能な少なくとも１つのデータ獲得手段を備える請求項１ないし５のいずれか１項記載のプラント。
【請求項７】
前記制御手段が、メモリーと、観察される圧力Ｐが圧力しきい値ＰＳＨまたはＰＳＬを越えるとき、所定の瞬間ｔに、開始するか、アイドリングに切り替えられるか、圧縮に切り替えられるか、停止させられるかいずれかであることが必要であるコンプレッサーおよび遠隔制御されることが可能な手段を選択することが可能なコンピュータープログラムとを備える中央ユニットを含むことを特徴とし、かつ本出願で定義される選択プロトコールのために設計されたプログラムを用いて操作することが可能であることを特徴とするプログラマブルコントローラーを備える、請求項１ないし６のいずれか１項記載のプラント。
【請求項８】
前記コンプレッサーが第１の結合管により圧縮流体のバッファーレザーバに配送側を介して並列に接続され、前記バッファーレザーバが遮断弁を備える第２の結合管により圧縮流体のネットワークに接続される請求項１ないし７のいずれか１項記載のプラント。
【請求項９】
前記第１の結合管がフィルターを備える請求項８記載のプラント。
【請求項１０】
それぞれ切り替え手段（３２）、（３４）および（３６）を備え、フィルター（１６）を備える第１の結合管（１４）により圧縮流体のバッファーレザーバ（１２）の入り口（１０）に並列に接続され、該バッファーレザーバ（１２）の出口（１８）が遮断弁２２を備える第２の結合管（２０）により圧縮流体のユーザーネットワークに接続されるところの３つのコンプレッサー（４）、（６）および（８）、
３相電源（２４）、
それぞれ前記コンプレッサー（４）、（６）および（８）の１つを前記電源（２４）に接続する３つの３本ワイヤ接続ライン（２６）、（２８）、（３０）、
前記流体ネットワーク中でコンプレッサー（４）、（６）および（８）の下流、例えばバッファーレザーバ（１２）中に位置する、前記流体の圧力を検知するための圧力センサー（５４）、
この例ではプログラマブルコントローラーＣＭＤであるところの制御装置であって、
中央演算ユニット（ＣＰＵ）、
上述されたパラメータおよび変数に関連するすべての獲得されたデータとともに上方圧力しきい値ＰＳＨおよび下方圧力しきい値ＰＳＬが記憶されるメモリー（ＭＥＭ）、
観察される圧力Ｐが圧力しきい値ＰＳＨまたはＰＳＬを超えるとき、所定の瞬間ｔに起動させられるか、アイドリングに切り替えられるか、圧縮に切り替えられるか、または停止させられるかいずれかであることが必要であるコンプレッサーを選択することが可能な、プラントを制御するためのプログラム（ＰＲＧ）、
センサーライン（５８）により圧力センサー（５４）に接続される入力（５６）、
電話線（８０）に接続された、プラント（２）の構成要素の１つの故障を検出するための検出手段、
前記切り替え手段（３２）、（３４）および（３６）を制御するための第１（６６）、第２（６８）および第３（７０）制御ラインに接続される３つの出力（６０）、（６２）および（６４）であって、前記出力（６０）、（６２）および（６４）ならびに関連する制御ライン（６６）、（６８）および（７０）は以下の３つの状態：停止、アイドリングおよび圧縮の１つか他にコンプレッサーのそれぞれを切り替えるように設計され、前記出力（６０）、（６２）および（６４）は、流体Ｐの圧力まで、前記制御装置ＣＭＤの中央演算ユニットＣＰＵにより従動される該出力
を備える制御装置
を備える請求項１ないし９のいずれか１項記載のプラント（２）。
【請求項１１】
時間の経過において、以下の操作工程：
（ａ）前記プラントの下流の圧縮流体のネットワーク中の流体の圧力が上方圧力しきい値ＰＳＨと下方圧力しきい値ＰＳＬの間にわたる値の範囲に存在するとき、前記ネットワーク中の流体の圧力を前記プラントのコンプレッサーの少なくとも１つによりこの範囲の値に維持するか、
（ｂ）前記ネットワーク中の流体の圧力がパラメータ化され得る（parametrizabel）長さの時間にわたってＰＳＬを下回って降下するとき、
（ｉ）プラントのコンプレッサーの１つのみを停止し、他は圧縮中とし、その場合に、前記停止されたコンプレッサーを起動し、圧縮に切り替えるか、
（ｉｉ）または、プラントの複数のコンプレッサーを停止し、他は圧縮中とし、その場合に、最後の時間における時間あたりの起動の数（ＮD ）が最小であるところの停止されたコンプレッサーを圧縮に切り替え、もし複数の停止されたコンプレッサーがこの同じ最小値（ＮD ）を有するならば、全操業時間（ＴＭＧ）が最短であるものを圧縮に切り替えるか、
（ｉｉｉ）または、プラントのすべてのコンプレッサーを停止し、その場合に、（ＮD ）が最小であるところの停止されたコンプレッサーを圧縮に切り替え、もし複数の停止されたコンプレッサーがこの同じ最小値（ＮD ）を有するならば、そのときは、（ＴＭＧ）が最短であるものを圧縮に切り替えるか、
（ｉｖ）または、プラントのコンプレッサーの１つのみをアイドリングさせ、他は圧縮状態にあるか停止させ、その場合に、前記アイドリングしているコンプレッサーを圧縮に切り替え、
（ｖ）または、プラントの複数のコンプレッサーをアイドリングさせ、他は圧縮状態にあるか停止させ、その場合に、次の利用可能な起動までの時間（ＴＲＤＥＭ）が最長であるところのアイドリングしているコンプレッサーを圧縮に切り替え、もし、複数のアイドリングしているコンプレッサーがこの同じ最大（ＴＲＤＥＭ）を有するならば、そのときは、（ＮD ）が最高であるものを圧縮に切り替え、もし、アイドリングしている複数のコンプレッサーがこの同じ最大（ＴＲＤＥＭ）およびこの同じ最大（ＮD ）を有するならば、そのときは、（ＴＭＧ）が最短であるものを圧縮に切り替えるか、
（ｖｉ）または、プラントのすべてのコンプレッサーをアイドリングさせ、その場合に、（ＴＲＤＥＭ）が最長であるアイドリングしているコンプレッサーを圧縮に切り替え、もし、複数の停止しているコンプレッサーがこの同じ最大（ＴＲＤＥＭ）を有するならば、そのときは（ＮD ）が最高であるものを圧縮に切り替え、もし、複数の停止しているコンプレッサーがこの同じ最大（ＴＲＤＥＭ）およびこの同じ最大（ＮD ）を有するならば、そのときは、（ＴＭＧ）が最短であるものを圧縮に切り替えるかのいずれかであり、
（ｃ）前記ネットワーク中の流体圧力がパラメータ化され得る長さの時間にわたってＰＳＨより高圧になるとき、
（ｉ）プラントのコンプレッサーの１つのみを圧縮中とし、他は停止させらるかアイドリングさせ、その場合に、前記コンプレッサーはアイドリングに切り替えられるか、
（ｉｉ）または、プラントの複数のコンプレッサーを圧縮中とし、他を停止させるかアイドリングさせ、その場合に、時間あたりの利用可能な起動の数（ＮC −ＮD ）が最大である圧縮中のコンプレッサーをアイドリングに切り替え、もし、複数の圧縮中のコンプレッサーがこの同じ最大数（ＮC −ＮD ）を有するならば、そのときは、ＴＭＧが最長であるものをアイドリングに切り替えるか、
（ｉｉｉ）または、プラントのすべてのコンプレッサーを圧縮中とし、その場合に、時間あたりの利用可能な起動の数（ＮC −ＮD ）が最大である圧縮中のコンプレッサーをアイドリングに切り替え、もし、複数の圧縮中のコンプレッサーがこの同じ最大数（ＮC −ＮD ）を有するならば、そのときは、ＴＭＧが最長であるものをアイドリングに切り替えるかのいずれかである
操作工程の１または他の工程を含むことを特徴とする請求項１ないし１０のいずれか１項記載のプラントを用いて圧縮流体を製造する方法。
【請求項１２】
前記コンプレッサーが停止時間前に最短アイドリングより長い時間（ＴＭＡＶ）アイドリングされ、かつ数（ＮC −ＮD ）が１以上であるとき、該コンプレッサーを停止する請求項１１記載の方法。
【請求項１３】
プラント中で、前記コンプレッサーの少なくとも１つが停止され、前記コンプレッサーの少なくとも１つが圧縮中であり、前記圧縮中のコンプレッサーの最後の起動からの時間がＴP と称される切り替え時間より長く、そのＴＭＧが停止しているコンプレッサーのＴＭＧより長いとき、該停止しているコンプレッサーを圧縮に切り替え、該圧縮中のコンプレッサーを停止させる請求項１１または１２記載の方法。
【請求項１４】
前記圧縮流体が圧縮空気である請求項１１ないし１３のいずれか１項記載の方法。
【請求項１５】
請求項１１ないし１４のいずれか１項記載の方法を実施するためのコンピュータープログラム。
【発明の詳細な説明】
【発明の開示】
【０００１】
本発明は、圧縮流体を製造するための方法およびそれを実施するための圧縮流体製造プラントに関する。
【０００２】
既知の圧縮空気の製造プラントについては、例えば、「ラソシアシオン・テクニーク・エネルジ・アンビロンヌマン（環境エネルギー技術協会）」の雑誌である１９９９年４月１５日の日付のＥＮＥＲＧＩＥ  ＰＬＵＳ、第２２４号において出版された「エール・コンプリメ、ルトゥール・デクスペリアンス・シュール・ユンヌ・バント・オー・メットル・キュブ（圧縮空気、立法メートル単位で販売されるフィードバック）」という表題の論文において記載されているものがある。それは、配送側が圧縮空気のネットワークに接続される少なくとも２つのコンプレッサーを含む。それらのコンプレッサーの１つは、少なくとも定速で稼動し、それが常に１００％能力で稼動するような大きさにされている。もう１つは、可変速度で稼動し、それが要求される流体流量を継ぎ足すような方式で調節される。後者のコンプレッサーは、空気のネットワークにおいて観察される圧力にしたがってオン、オフされる。設備が２つを超えるコンプレッサーを備えるときには、１つのみが可変的な出力をするものである。
【０００３】
現在、このタイプのプラントは、広範な流体流量にわたっては経済的には用いられ得ない。
【０００４】
欧州特許出願ＥＰ１２４９６７５号は、周波数変換器を用いて複数のコンプレッサーを制御するための方法を記載する。しかしながら、この方法は、しばしば、期待されるエネルギー節約には現実的に見合わない資金投資を伴い、状態調整空気ステーションまたは冷凍システムのようなもっとも上級のプラントのためにのみ想定可能である。
【０００５】
本発明の目的は、前述の欠点を軽減し、特にその電力消費の観点で経済的である圧縮流体を供給するためのプラントを提案することである。もう１つの目的は、少ない維持コストを有する圧縮流体を供給するためのプラントである。
【０００６】
前述の目的を達成するための探求の過程において、本出願人は、予想外にも、コンプレッサープラントの特定全電力消費（specific overall power consumption）は、本明細書で以下に説明される装置を具現化することにより有意に改善され得ることを見いだした。
【０００７】
第１の側面によれば、これが、本発明の主題が、圧縮流体を製造するためのプラントであって、
配送側が圧縮流体ネットワークに接続されているｎ個のコンプレッサー（ｎは１以上である）、
前記コンプレッサーのそれぞれのための、該コンプレッサーを電源に接続する接続ライン、
前記コンプレッサーのそれぞれのための、前記コンプレッサーのそれぞれの状態の変化を生起させる（trigger）ように設計された少なくとも１つの切り替え手段、
前記圧縮流体のネットワーク中の流体の圧力を測定するように設計された少なくとも１つの圧力センサー、および
前記切り替え手段の一方または他方を制御するように設計された少なくとも１つの制御手段
を備え、
前記少なくとも１つの制御手段が、前記切り替え手段のそれぞれを作動させるための１以上の個別の作動手段に接続され、
前記少なくとも１つの制御手段が、前記ネットワーク中の前記圧縮流体の圧力に応じてあらかじめ決定された選択プロトコールに従って始動されるか、アイドリングに切り替えられるか、圧縮に切り替えられるか、または停止さられるかのいずれかである１以上のコンプレッサーを選択できる１以上の選択手段を含む
ことを特徴とするプラントである理由である。
【０００８】
本発明のコンテキストにおいて、状態とは、それぞれのコンプレッサーについて、以下の３つの状態：
コンプレッサーが停止している、
コンプレッサーがアイドリングしている、
コンプレッサーが圧縮中である
を意味するように意図されている。
【０００９】
本発明の主題であるプラントに用いられるコンプレッサーは、好ましくは、「オール・オア・ナッシング」タイプのものである。
【００１０】
本発明のもう１つの好ましい側面によれば、コンプレッサーは同じものである。
【００１１】
「オール・オア・ナッシング」タイプのコンプレッサーとは、主に、このカテゴリー、より具体的にはスクリューコンプレッサーに分類される市販のコンプレッサーを表すことを意図する。
【００１２】
圧縮流体は、総圧が１気圧より高いところの流体を意味するものと理解されるべきである。より具体的には、空気、酸素（Ｏ2 ）、窒素（Ｎ2 ）、アルゴン（Ａｒ）、二酸化炭素（ＣＯ2 ）、一酸化炭素（ＣＯ）、ヘリウム（Ｈｅ）、亜酸化窒素（Ｎ2 Ｏ）、一酸化窒素（ＮＯ）、例えば、以下の混合物：５０体積（ｖ／ｖ）％Ｎ2 Ｏ＋５０％ｖ／ｖＯ2 、５％ｖ／ｖＣＯ2 、９５％ｖ／ｖＯ2 、Ｎ2 中の２００〜８００ｐｐｍＮＯ、７８％Ｈｅ＋２２％ｖ／ｖＯ2 、６５％Ｈｅ＋３５％Ｏ2 、８０％ｖ／ｖＨｅ＋２０％ｖ／ｖＯ2 のような、亜酸化窒素と酸素の混合物、二酸化炭素と酸素の混合物、窒素と一酸化炭素の混合物、ヘリウムと酸素の混合物、または窒素と二酸化炭素の混合物である。
【００１３】
本発明のもう１つの好ましい側面によれば、本明細書で上に規定したプラントは、圧縮空気を製造するためのプラントである。
【００１４】
あらかじめ決められた選択プロトコールは、本発明の文脈において、圧縮流体ネットワークにおいて観察される圧力が下方しきい値圧力（ＰＳＬ）および上方しきい値圧力（ＰＳＨ）である２つの制限値の一方を越えるときに前記プラントの１またはそれ以上のコンプレッサーの状態を変化させるかまたは代わりに変化させないような選択を発生させる、実施されるべきすべての測定および／または計測および／または計算を意味するものとして理解されるべきである。
【００１５】
本発明の第１の具体的な側面によれば、本明細書で上に規定されたプラントは、２〜６のコンプレッサーを含む。
【００１６】
本発明の第２の具体的な側面によれば、本明細書で上に規定されたプラントは、経時的に、定常的または断続的にそれぞれのコンプレッサーの状態のそれぞれの変化を日付入れ（date）しおよび測定することが可能な少なくとも１つのデータ獲得手段を備える。
【００１７】
本発明のこの特定の側面によれば、選択プロトコールは、以下のパラメータのすべてにより規定される。
【００１８】
開始時に設定される変数
Ｎｃ：時間あたりのコンプレッサー起動の最大数；このパラメータは、コンプレッサー製造者により設定される。
【００１９】
ＴＭＡＶ：スイッチの切られた時間の前の最小のアイドリング；
Ｔｐ：強制された切り替えの前の操業時間；
ＴＭＡＶ’：圧縮への切り替え時間の前の最小アイドリング。
【００２０】
常に計算される変数
Ｔ：現在時間での日付。
【００２１】
１つのコンプレッサーの状態のそれぞれの変化についてそれぞれのコンプレッサーのために計算される変数
Ｔｃ／ｖ：最後の時間における状態の最後の変化（圧縮からアイドリングへ）の日付；
ＴＭＧ：プラントが起動してからの操業時間の総数（全操業時間）；
Ｔ1 、Ｔ2 ．．．ＴNC：最も最近の起動についてのＴ1 から最も古い起動についてのＴNCまでの最後の時間における起動日付の収集；
ＮD ：最後の時間内に実施される起動の数；
ＴＲＤＥＭ：次に行われる起動までの時間。
【００２２】
本発明の主題である方法の別形態によれば、それぞれのコンプレッサーの全操業時間ＴＭＧをモニターする代わりに、その全圧縮時間（ＴＭＣＧ）をモニターし、これは、プラントが起動されてからの圧縮の時間数を表す。
【００２３】
この特定の側面の好ましい形態によれば、制御手段は、メモリーと、観察される圧力Ｐが圧力しきい値ＰＳＨまたはＰＳＬを越えるとき、所定の瞬間ｔに、本明細書で上に規定された選択プロトコールにより、開始するか、アイドリングに切り替えられるか、圧縮に切り替えられるかまたは停止させられるかのいずれかであることが必要であるコンプレッサーを選択することが可能なコンピュータープログラムとを含む中央ユニットを含むことを特徴とするプログラマブルコントローラーを備える。このプログラマブルコントローラーは、可能的に、これを遠隔制御することが可能な手段を備える。
【００２４】
本発明の第４の具体的な側面によれば、すでに規定されたプラントにおいて、コンプレッサーは、その配送側を介して、第１の結合管により、圧縮流体のバッファーレザーバに並列に接続され、該バッファーレザーバは、遮断弁を備える第２の結合管により圧縮流体のネットワークに接続される。第１の結合管は、好ましくは、フィルターを備える。
【００２５】
本発明のもう１つの主題は、本明細書で上に規定されたプラントを用いて圧縮流体を製造するための方法であって、時間の経過において、以下の操作工程：
（ａ）前記プラントの下流の圧縮流体のネットワーク中の流体の圧力が上方圧力しきい値ＰＳＨと下方圧力しきい値ＰＳＬの間にわたる値の範囲に存在するとき、前記ネットワーク中の流体の圧力を前記プラントのコンプレッサーの少なくとも１つによりこの範囲の値に維持するか、
（ｂ）前記ネットワーク中の流体の圧力がパラメータ化され得る（parametrizabel）長さの時間にわたってＰＳＬを下回って降下するとき、
（ｉ）プラントのコンプレッサーの１つのみを停止し、他は圧縮中とし、その場合に、前記停止されたコンプレッサーを起動し、圧縮に切り替えるか、
（ｉｉ）または、プラントの複数のコンプレッサーを停止し、他は圧縮中とし、その場合に、最後の時間における時間あたりの起動の数（ＮD ）が最小であるところの停止されたコンプレッサーを圧縮に切り替え、もし複数の停止されたコンプレッサーがこの同じ最小値（ＮD ）を有するならば、全操業時間（ＴＭＧ）が最短であるものを圧縮に切り替えるか、
（ｉｉｉ）または、プラントのすべてのコンプレッサーを停止し、その場合に、（ＮD ）が最小であるところの停止されたコンプレッサーを圧縮に切り替え、もし複数の停止されたコンプレッサーがこの同じ最小値（ＮD ）を有するならば、そのときは、（ＴＭＧ）が最短であるものを圧縮に切り替えるか、
（ｉｖ）または、プラントのコンプレッサーの１つのみをアイドリングさせ、他は圧縮状態にあるか停止させ、その場合に、前記アイドリングしているコンプレッサーを圧縮に切り替え、
（ｖ）または、プラントの複数のコンプレッサーをアイドリングさせ、他は圧縮状態にあるか停止させ、その場合に、次の利用可能な起動までの時間（ＴＲＤＥＭ）が最長であるところのアイドリングしているコンプレッサーを圧縮に切り替え、もし、複数のアイドリングしているコンプレッサーがこの同じ最大（ＴＲＤＥＭ）を有するならば、そのときは、（ＮD ）が最高であるものを圧縮に切り替え、もし、アイドリングしている複数のコンプレッサーがこの同じ最大（ＴＲＤＥＭ）およびこの同じ最大（ＮD ）を有するならば、そのときは、（ＴＭＧ）が最短であるものを圧縮に切り替えるか、
（ｖｉ）または、プラントのすべてのコンプレッサーをアイドリングさせ、その場合に、（ＴＲＤＥＭ）が最長であるアイドリングしているコンプレッサーを圧縮に切り替え、もし、複数の停止しているコンプレッサーがこの同じ最大（ＴＲＤＥＭ）を有するならば、そのときは（ＮD ）が最高であるものを圧縮に切り替え、もし、複数の停止しているコンプレッサーがこの同じ最大（ＴＲＤＥＭ）およびこの同じ最大（ＮD ）を有するならば、そのときは、（ＴＭＧ）が最短であるものを圧縮に切り替えるかのいずれかであり、
（ｃ）前記ネットワーク中の流体圧力がパラメータ化され得る長さの時間にわたってＰＳＨより高圧になるとき、
（ｉ）プラントのコンプレッサーの１つのみを圧縮中とし、他は停止させらるかアイドリングさせ、その場合に、前記コンプレッサーはアイドリングに切り替えられるか、
（ｉｉ）または、プラントの複数のコンプレッサーを圧縮中とし、他を停止させるかアイドリングさせ、その場合に、時間あたりの利用可能な起動の数（ＮC −ＮD ）が最大である圧縮中のコンプレッサーをアイドリングに切り替え、もし、複数の圧縮中のコンプレッサーがこの同じ最大数（ＮC −ＮD ）を有するならば、そのときは、ＴＭＧが最長であるものをアイドリングに切り替えるか、
（ｉｉｉ）または、プラントのすべてのコンプレッサーを圧縮中とし、その場合に、時間あたりの利用可能な起動の数（ＮC −ＮD ）が最大である圧縮中のコンプレッサーをアイドリングに切り替え、もし、複数の圧縮中のコンプレッサーがこの同じ最大数（ＮC −ＮD ）を有するならば、そのときは、ＴＭＧが最長であるものをアイドリングに切り替えるかのいずれかである
操作工程の１または他の工程を含むことを特徴とする方法である。
【００２６】
本明細書で上に規定された方法において、数ＮC は、一般的に、２ないし８である。
【００２７】
Ｎｃが、所定の時間中にコンプレッサーの起動の均一分布に基づいて決定されると考えられる場合、そのときは、コンプレッサーが停止され、再起動され得ない時間を決定することができる。それゆえ、時間単位で表現される次の利用可能な起動までの時間、すなわちＴＲＤＥＭと称されるこの時間は、（１／Ｎｃ）ｈ未満である。先の時間に起動が無いときには、ＴＲＤＥＭは０に等しい。
【００２８】
一般的に、コンプレッサーは、ここでは停止前の最小アイドリング時間すなわちＴＭＡＶと称される最小時間の間アイドリング状態にとどまることなしに圧縮状態から停止状態に直接切り替えられ得ないことが知られている。
【００２９】
本明細書で上に規定された方法において、ＴＭＡＶは、一般的に、３０秒以上である。
【００３０】
本明細書で上に規定された方法において、ＴＭＧすなわち全操業時間は、プラントが起動してからの所定のコンプレッサーが操業している時間数を表す。
【００３１】
本明細書で上に規定された方法の第３の具体的な側面によれば、コンプレッサーがＴＭＡＶより長い時間アイドリングされていたときには、コンプレッサーは停止される。
【００３２】
本明細書で上に規定された方法の第４の具体的な側面によれば、プラント中で、コンプレッサーの少なくとも１つが停止され、コンプレッサーの少なくとも１つが圧縮中であり、そして、前記圧縮中のコンプレッサーの最後の起動からの時間がＴP と称される切り替え時間より長く、そのＴＭＧが停止しているコンプレッサーのＴＭＧより長いとき、停止しているコンプレッサーは圧縮に切り替えられ、圧縮中のコンプレッサーは停止さる。
【００３３】
本明細書で上に記載された方法は、特に、圧縮空気の製造に適している。
【００３４】
本発明の最後の側面によれば、本発明の主題は、本明細書で上に規定された方法を実行するためのコンピュータープログラムである。
【００３５】
本発明は、添付の図面を参照し、単に例として与えられる以下に続く記載を読むことからよりよく理解されるであろう。
【００３６】
このプラント２は、フィルター１６を備える第１の結合管１４により圧縮流体のバッファーレザーバ１２の入り口１０に並列接続され、停止、アイドリングおよび圧縮である３つの状態の１つにコンプレッサーを切り替えることが可能な切り替え手段３２、３４および３６をそれぞれ備える３つのコンプレッサー４、６、８を備える。バッファーレザーバ１２の出口１８は、遮断弁２２を備える第２の結合管２０により圧縮空気のユーザーネットワーク（図示せず）に接続される。
【００３７】
コンプレッサー４、６、８は、潤滑式スクリューコンプレッサーである。そのようなコンプレッサーは、例えば、ＫＡＥＳＥＲにより販売されるＤＳＤ２０１／７．５バールタイプのコンプレッサーである。
【００３８】
プラント２は、さらに、電源、この例では３相電源２４を備える。
【００３９】
プラント２は、３つの第１の３本ワイヤ接続ライン２６、２８、３０を備える。第１の接続ライン２６、２８、３０のそれぞれは、コンプレッサー４、６、８の１つを電源２４に接続する。
【００４０】
流体の圧力を検知するための圧力センサー５４が、流体ネットワーク中のコンプレッサー４、６、８の下流、例えば、バッファーレザーバ１２の中に配置される。
【００４１】
プラント１２は、さらに、制御装置、この例ではプログラマブルコントローラーＣＭＤを備える。
【００４２】
この制御デバイスＣＭＤは、流体ネットワーク中の流体圧力Ｐを観察するようにセンサーライン５８により圧力センサー５４に接続される入力部５６を備える。
【００４３】
制御装置ＣＭＤは、さらに、切り替え手段３２、３４および３６を制御するための第１制御ライン６６、第２制御ライン６８および第３制御ライン７０に接続される３つの出力部６０、６２、６４を備える。
【００４４】
出力部６０、６２、６４および関連する制御ライン６６、６８、７０は、コンプレッサー４、６、８の切り替えを制御するように設計されている。
【００４５】
出力部６０、６２、６４は、流体圧力Ｐに従って制御装置ＣＭＤの中央演算ユニットＣＰＵにより従動される。
【００４６】
中央演算ユニットＣＰＵのほかに、プログラマブルコントローラーＣＭＤは、本明細書で上述されたパラメータおよび変数に関係のあるすべての獲得されたデータとともに、上方圧力しきい値ＰＳＨおよび下方圧力しきい値ＰＳＬが記憶されたメモリーＭＥＭと、観察された圧力Ｐが圧力しきい値ＰＳＨまたはＰＳＬを越えるとき、所定の瞬間ｔで起動されるか、アイドリングに切り替えられるか、圧縮に切り替えられるか、または停止されるかのいずれかであることが必要であるコンプレッサーを選択することが可能である、プラントを制御するためのプログラムＰＲＧとを含む。
【００４７】
加えて、メモリーＭＥＭは、コンプレッサー４、６、８のそれぞれについて、関連するコンプレッサー４、６、８の全操業時間を記憶する。
【００４８】
制御装置ＣＭＤに用いられるプログラムＰＲＧは、排他的接続モードに従って切り替え手段３２、３４および３６を制御する。
【００４９】
制御装置ＣＭＤは、また、プラント２の構成要素の１つの故障を検出するための検出手段も備える。
【００５０】
これらの手段は、メンテナンス係が故障の際に警告されるように電話線８０に接続されている。
【００５１】
図２は、空気ネットワークにおいて得られる圧力Ｐにおける１時間にわたる変化の例および本発明（新たな制御法則）と従来技術（古い法則）による並列の３つのコンプレッサー（ＣＯ１、ＣＯ２、ＣＯ３）の状態の変化の２つのダイアグラムを描写する。
【００５２】
２つのダイアグラムの横座標は、３つのコンプレッサーのさまざまの状態をあらわす（ＭＣ  圧縮中、ＭＶ：アイドリング、ＳＢ：停止）。
【００５３】
この図は、新たな制御法則による方法は、古い制御法則による方法（ダイアグラム中の灰色に影をつけられた領域）において存在するアイドリング時間のほとんどをなくすことを可能とすることを明らかにしている。
【００５４】
本明細書で上記実験の完了の際に、本発明によるプラントは、従来技術のプラントと比較して約１０％まで電力を節約することが可能であったことが見出された。
【図面の簡単な説明】
【００５５】
【図１】本発明による圧縮流体製造プラントの模式図。
【図２】時間内の流体の圧力における変化およびコンプレッサーの対応する調節を示す図。
【符号の説明】
【００５６】
２…プラント、４，６，８…コンプレッサー、１２…バッファーレザーバ、１４，２０…結合管、１６…フィルター、２２…遮断弁、２４…電源、２６，２８，３０…接続ライン、３２，３４，３６…切り替え手段、５４…圧力センサー、５８…センサーライン、６６，６８，７０…制御ライン、８０…電話線
【図１】
2006513360.tif 000003
【図２】
2006513360.tif 000004
【国際調査報告】
2006513360.tif 000005
2006513360.tif 000006
2006513360.tif 000007
2006513360.tif 000008
2006513360.tif 000009
2006513360.tif 000010